(57)【要約】      （修正有）【課題】収納状態と展開状態との間でのアームレスト本体の回転を円滑且つ小さな力で行うアームレスト装置を提供する。【解決手段】固定軸２と、アームレスト本体４と一体的に回転可能な回転プレート３と、一端が固定側フック５ａ及び他端が自由側フック５ｂとなっているロックばね５と、ロックばね５が縮径してロック状態とする再ロックカム部７ｃを有するカム部材７と、解除ブロック８の回転を一定位置で停止させるストッパ部材３ｂとを備える。自由側フック５ｂがばね受け部８ａに当接することにより解除ブロック８に当接力が作用し、当該当接力によって解除ブロック８がストッパ部材３ｂに押し付けられる回転モーメントを解除ブロック８が受けるように前記当接力の方向と解除ブロック８の回転中心とがずれていることを特徴とする。【選択図】図１
2010035862.tif 000002
【特許請求の範囲】
【請求項１】
シートフレームに固定された固定軸と、
前記固定軸に回転自在に支持され、アームレスト本体と一体的に回転可能な回転プレートと、
前記固定軸及び回転プレートに密着状態で巻回され、一端が回転プレートに係止される固定側フック及び他端が自由側フックとなっているロックばねと、
前記自由側フックが当接可能な円弧外形のばね受け部が形成され、前記回転プレートに回転可能に取り付けられた解除ブロックと、
前記アームレストを収納方向に回転させたとき、前記自由側フックが当接した前記ばね受け部が当接し、当該当接によって前記ロックばねを拡径させてロック解除状態とするロック解除カム部及び前記アームレストを展開方向に回転させるとき、前記自由側フックが当接した前記ばね受け部が当接し、当該当接によってロックばねが縮径してロック状態とする再ロックカム部を有し、前記固定軸に固定されたカム部材と、
前記解除ブロックの回転を一定位置で停止させるストッパ部材とを備え、
前記自由側フックが前記ばね受け部に当接することにより前記解除ブロックに当接力が作用し、当該当接力によって解除ブロックが前記ストッパ部材に押し付けられる回転モーメントを解除ブロックが受けるように前記当接力の方向と解除ブロックの回転中心とがずれていることを特徴とするアームレスト装置。
【発明の詳細な説明】
【技術分野】
【０００１】
本発明は、シートのアームレストの角度調整を無段階で行うことが可能なアームレスト装置に関する。
【背景技術】
【０００２】
特許文献１には、アームレスト本体の回転をコイル部の締め付け力によってロックばねと、ロックばねを拡径状態及び縮径状態とするカム部材とを設けることによりアームレスト本体の角度調整を無段階で行う従来のアームレスト装置が開示されている。このアームレスト装置は、アームレスト本体の収納方向への回転によってロックばねの自由側フックに当接してロックばねのロックを解除する一方、アームレスト本体の展開方向への回転によってロックばねを縮径方向にスプリングバックさせる解除ブロックをさらに備えている。
【０００３】
以上の構造によって、従来のアームレスト装置は、部品及び作動の精度を向上させることができ、しかも簡易な構造で組み立てが容易となり、作動範囲を任意に設定することが可能となる利点を有している。
【特許文献１】特許第４０８９３８６号公報
【発明の開示】
【発明が解決しようとする課題】
【０００４】
従来のアームレスト装置に対し、操作性の向上を望む要求がある。本発明の課題は、上述した従来のアームレスト装置の構造を踏襲し、さらに収納状態と展開状態との間でのアームレスト本体の回転を小さな力で行うことができ、操作性を向上させることが可能なアームレスト装置を提供することを目的とする。
【課題を解決するための手段】
【０００５】
請求項１記載の発明のアームレスト装置は、シートフレームに固定された固定軸と、前記固定軸に回転自在に支持され、アームレスト本体と一体的に回転可能な回転プレートと、前記固定軸及び回転プレートに密着状態で巻回され、一端が回転プレートに係止される固定側フック及び他端が自由側フックとなっているロックばねと、前記自由側フックが当接可能な円弧外形のばね受け部が形成され、前記回転プレートに回転可能に取り付けられた解除ブロックと、前記アームレストを収納方向に回転させたとき、前記自由側フックが当接した前記ばね受け部が当接し、当該当接によって前記ロックばねを拡径させてロック解除状態とするロック解除カム部及び前記アームレストを展開方向に回転させるとき、前記自由側フックが当接した前記ばね受け部が当接し、当該当接によってロックばねが縮径してロック状態とする再ロックカム部を有し、前記固定軸に固定されたカム部材と、前記解除ブロックの回転を一定位置で停止させるストッパ部材とを備え、前記自由側フックが前記ばね受け部に当接することにより前記解除ブロックに当接力が作用し、当該当接力によって解除ブロックが前記ストッパ部材に押し付けられる回転モーメントを解除ブロックが受けるように前記当接力の方向と解除ブロックの回転中心とがずれていることを特徴とする。
【発明の効果】
【０００６】
本発明によれば、自由側フックが当接する解除ブロックのばね受け部が円弧外形となっているため、解除ブロックは小さな力でも円滑に回転することができ、収納状態と展開状態との間でのアームレスト本体の回転を小さな力で行うことができる。
【０００７】
又、自由側フックがばね受け部に当接することにより解除ブロックに当接力が作用するが、この当接力によって解除ブロックがストッパ部材に押し付けられる回転モーメントを解除ブロックが受けるように当接力の方向と解除ブロックの回転中心とがずれているため、ロック解除状態を確実に維持することができる。
【発明を実施するための最良の形態】
【０００８】
図１は、本発明の一実施形態のアームレスト装置の分解斜視図、図２は組み付け状態の正面図、図３は図２の側面図である。
【０００９】
アームレスト装置は、アームレスト本体４と、回転プレート３と、固定軸２と、ロックばね５と、カム部材７と、解除ブロック８とを備え、全体がシートフレーム２０に溶接等により固定されたアームレスト取付部１に装着される。
【００１０】
固定軸２は、大径部２ｂ及び小径部２ｃを有した段付き形状となっており、小径部２ｃの先端側（アームレスト取付部１側）にリング体２１が溶接等により固定される。従って、リング体２１を一体化することにより固定軸２の全体が構成されるようになっている。
【００１１】
回転プレート３は、アームレスト本体４に溶接等により固定されることにより、アームレスト本体４と一体化される。図１において、矢印Ｔ方向は、アームレストを収納する方向であり、矢印Ｓ方向はアームレストを展開する方向である。上述したリング体２１は、回転プレート３を挟んだ状態で小径部２ｃの先端側に溶接される。このリング体２１にはアームレスト取付部１側に突出する爪部２ａが円周方向の三箇所に形成されており、爪部２ａがアームレスト取付部１の対向部位に形成された嵌合穴１ａに嵌合することにより固定軸２全体がアームレスト取付部１に固定状態で取付けられる。
【００１２】
回転プレート３は、固定軸２の小径部２ｃに挿入される筒部３ａを有している。筒部３ａに小径部２ｃが挿入されることにより回転プレート３の回転が支承されるようになっている。回転プレート３の筒部３ａは、固定軸２における大径部２ｂと略同一外径となっており、これらの筒部３ａ及び大径部２ｂの外周面にロックばね５が巻き付けられる。
【００１３】
ロックばね５は、自由状態において固定軸２の大径部２ｂ及び回転プレート３の筒部３ａの外周面に密着するようなコイル内径を有している。このためロックばね５のコイル部は、自由状態において固定軸２の大径部２ｂ及び回転プレート３の筒部３ａの外径より小さい内径となっている。ロックばね５の両端には、固定側フック５ａ及び自由側フック５ｂが径方向に沿って引き出されている。
【００１４】
ロックばね５の固定側フック５ａは、フック固定部材６に係止しており、フック固定部材６が回転プレート３に溶接されることにより、固定側フック５ａは回転プレート３に係止された状態となる。この係止により、ロックばね５は回転プレート３、すなわちアームレスト本体４の回転と共に回転する。一方、ロックばね５の他端側の自由側フック５ｂは、自由状態となっている。ロックばね５は、アームレストの収納位置におけるロック解除のとき、コイル部が拡径し、アームレストの展開位置におけるロックのとき、コイル部が縮径するように巻回されている。
【００１５】
ロックばね５の自由側フック５ｂの近傍には、解除ブロック８が配置されている。解除ブロック８は、固定軸２と略平行となるように回転プレート３に固定された枢軸１０に回転自在に支持されており、ワッシャ１４により抜け止め状態に加締められている。枢軸１０は加締め等により回転プレート３に固定される。
【００１６】
固定軸２の大径部２ｂ端部に形成された凸部２ｄが、カム部材７の円弧状長孔７ａに嵌合される。カム部材７は、カシメ等により固定軸２の先端部に固定されている。カム部材７の外周には、解除ブロック８を介してロックばね５のロック解除及び再ロックを行う扇状のロック解除カム部７ｂ及び再ロックカム部７ｃが設けられている。
【００１７】
この実施形態において、固定軸２のリング体２１とカム部材７の相対角度を変える、すなわち固定軸２へのリング体２１の取付け相対角度位置を変えることにより、アームレストの作動位置を任意に設定することができる。さらに、カム部材７のロック解除カム部７ｂの扇状の長さを変えるとともに、ロック解除カム部７ｂと再ロックカム部７ｃとの離間角度を変えることにより、アームレストの作動範囲を任意に設定することができる。
【００１８】
カム部材７の中央部には、固定軸２の端部内側に嵌入する筒部７ｄが形成され、筒部７ｄの内面には、カム部材７と固定軸２とをアームレスト取付部１に一体的に固定するためのねじ９が取付けられるねじ孔７ｅが設けられている。ねじ９は、カム部材７を挿通後、アームレスト取付部１に形成されたねじ孔に螺合する。
【００１９】
ロックばね５とカム部材７との間には、ロックバネの姿勢を正すためのスペーサ１３が挿入されている。しかし、スペーサ１３は、必須部品ではない。
【００２０】
解除ブロック８は、自由側フック５ｂに当接する方向（この実施形態では図２の矢印Ｅで示す反時計方向）に回転するようにリターンスプリング１１により常時、付勢されている。この場合、解除ブロック８の回転は、枢軸１０の回転中心３１を中心として回転する。なお、リターンスプリング１１は解除ブロック８の回転付勢の作用に加えて、ロック状態における解除ブロック８の振動等の不用意な動きやそれに伴う異音の発生を抑えるように機能する。
【００２１】
解除ブロック８には、ばね受け部８ａ及びストッパ凸部８ｂが形成されている。ばね受け部８ａは、ロックばね５の自由側フック５ｂに臨むように解除ブロック８の上面に形成されている。このばね受け部８ａは、全体が長円形状の外形に形成されており、これによりばね受け部８ａの外形は円弧状となっており、この円弧外形部分に対して自由側フック５ｂが当接する。
【００２２】
ストッパ凸部８ｂは、枢軸１０を挟んだばね受け部８ａと反対側に位置するように形成されている。ストッパ凸部８ｂは、回転プレート３に切り起こし状に形成された切り起こしストッパ部３ｂに対応しており、切り起こしストッパ部３ｂに当接することにより解除ブロック８の回転を停止させるように作用する。従って、ストッパ凸部８ｂ及び切り起こしストッパ部３ｂは回転プレート３に対する解除ブロック８の回転を停止させるストッパ部材となっている。
【００２３】
図２に示すように、自由側フック５ｂが解除ブロック８のばね受け部８ａに当接することにより、解除ブロック８には矢印Ｘで示す直線的な当接力が作用する。この実施形態において、このＸ方向への当接力に対し、解除ブロック８の回転中心３１はロックばね５の軸心方向にずれている。このように解除ブロック８の回転中心３１が自由側フック５ｂの当接による当接力とずれていることにより、解除ブロック８は時計方向の回転トルクを受け、ストッパ凸部８ｂは切り起こしストッパ部３ｂに突き当たってロック解除状態を維持することができる。
【００２４】
図２は、アームレスト本体４が起立した収納状態を、図４は、アームレスト本体４を展開状態（使用状態）から収納方向に回転させる状態を、図５は、収納状態から展開状態に回転させる状態を示し、図４では、アームレスト本体４に対して矢印Ｔで示す時計方向への回転力を作用させる場合、図５では、アームレスト本体４に対して矢印Ｓで示す反時計方向への回転力を作用させる場合について説明する。
【００２５】
アームレスト本体４を収納方向Ｔ（時計方向）に回転させるとき、例えば、図４の状態から図２の状態となるまで回転させるときには、解除ブロック８のばね受け部８ａはカム部材７のロック解除カム部７ｂに当接する。この状態でさらにアームレスト本体４を収納方向Ｔに回転させると、ばね受け部８ａにロックばね５の自由側フック５ｂが当接しているため、ロックばね５を拡径させてロック解除状態にする。従って、アームレスト本体４は図２に示す収納位置まで円滑に回転する。この回転においては、自由側フック５ｂが当接するばね受け部８ａが円弧外形となっているため、自由側フック５ｂが円滑に動くことができ、操作力を軽減させることができる。
【００２６】
図４に続く図２に示すアームレスト本体４の収納位置において、ばね受け部８ａがロック解除カム部７ｂに押し上げられており、このばね受け部８ａにロックばね５の自由側フック５ｂが当接する。このため、ロックばね５を巻き戻し方向にねじって拡径したロック解除の状態にセットされる。このとき、ストッパ凸部８ｂが回転プレート３の切り起こしストッパ部３ｂに当接するため、解除ブロック８の回転プレート３に対する回転が停止した状態となる。従って、ロックばね５の拡径状態を確実に保持することができ、ロック解除状態が安定する。
【００２７】
アームレスト本体４の使用状態でアームレスト本体４を図５で示すように、展開方向Ｓ（反時計方向）に回転させるとき、解除ブロック８のばね受け部８ａはカム部材７の再ロックカム部７ａに当接する。この当接の直後、ばね受け部８ａは再ロックカム部７ｃに押され、解除ブロック８が反時計方向に反転する。これにより、ばね受け部８ａに自由側フック５ｂが当接しているロックばね５はスプリングバックして縮径し、アームレスト本体４の回転がロックされる、又、ロック状態が保持される。このときにおいても、自由側フック５ｂが当接するばね受け部８ａが円弧外形となっているため、自由側フック５ｂが円滑に動くことができ、操作力を軽減させることができる。
【００２８】
図６は本発明の別の実施形態の正面図、図７は図６におけるＭ−Ｍ線断面図である。この実施形態では、解除ブロック８を板金材料によって形成するものである。すなわち、板状の板金材料をプレス打ち抜きすることにより、図７に示すようにばね受け部８ａ及びストッパ凸部８ｂを一体的に有した解除ブロック８が形成される。解除ブロック８は、全体が中空状となっており、枢軸１０を中心に回転プレート３に対して回転可能となっている。この実施形態では、上記実施形態と同様の作用を有するのに加え、解除ブロック８を軽量とすることができる。
【００２９】
図８及び図９は、本発明のさらに別の実施形態の正面図及び側面図である。この実施形態では、解除ブロック８を平板部材により形成し、コイルばね５の自由側フック５ｂに対応したばね受け部８ａを円形外形の突起により形成している。又、回転プレート３に切起しストッパ部３３を形成し、このストッパ部３３に解除ブロック８のストッパ凸部８ｂが当接するようになっている。この実施形態では、ばね受け部８ａが円形外形となっているため、自由側フック５ｂとの当接のための方向性を考慮することなく解除ブロック８を配置することができる。このため組み付けが容易となるメリットがある。
【図面の簡単な説明】
【００３０】
【図１】本発明の一実施形態のアームレスト装置の分解斜視図である。
【図２】一実施形態の要部の正面図である。
【図３】図２の側面図である。
【図４】収納方向への回転における作用を示す正面図である。
【図５】展開方向への回転における作用を示す正面図である。
【図６】本発明の別の実施形態の要部の正面図である。
【図７】図６におけるＭ−Ｍ線断面図である。
【図８】本発明のさらに別の実施形態の要部の正面図である。
【図９】図８の側面図である。
【符号の説明】
【００３１】
２  固定軸
３  回転プレート
３ｂ  切り起こしストッパ部
４  アームレスト本体
５  ロックばね
５ａ  固定側フック
５ｂ  自由側フック
７  カム部材
７ｂ  ロック解除カム部
７ｃ  再ロックカム部
８  解除ブロック
８ａ  ばね受け部
８ｂ  ストッパ凸部
３１  回転中心
【図１】
2010035862.tif 000003
【図２】
2010035862.tif 000004
【図３】
2010035862.tif 000005
【図４】
2010035862.tif 000006
【図５】
2010035862.tif 000007
【図６】
2010035862.tif 000008
【図７】
2010035862.tif 000009
【図８】
2010035862.tif 000010
【図９】
2010035862.tif 000011